(57)【要約】【課題】簡単にキャップを着脱できるとともに、キャップ装着状態でのキャップと容器との密封を実現できる、キャップ付き容器の提供。【解決手段】容器本体１と、該容器の口部１１の外周に着脱可能に係合するキャップ３とを備えるキャップ付き容器５であって、前記口部１１には、上下に貫通する孔部１４が形成されており、前記キャップ３には、前記孔部１４に密閉嵌合する、天井壁から下方向に延伸する突起状の栓部３３が形成され、前記口部１１及び前記キャップ３のそれぞれに、前記口部１１と前記キャップ３との間で、磁気的な力を発生させる磁石２１，２２，４２，４１を設けた、キャップ付き容器５。【選択図】図６
2020037424.tif 000002
【特許請求の範囲】
【請求項１】
容器と、該容器の口部の外周に着脱可能に係合するキャップとを備えるキャップ付き容器であって、
前記口部には、上下に貫通する孔部が形成されており、
前記キャップには、前記孔部に密閉嵌合する、天井壁から下方向に延伸する突起状の栓部が形成され、
前記口部及び前記キャップのそれぞれに、前記口部と前記キャップとの間で、磁気的な力を発生させる磁石を設けた
キャップ付き容器。
【請求項２】
前記栓部の少なくとも一部、又は前記孔部の内壁の、少なくともどちらか一方は弾性変形する素材で構成される
請求項１に記載のキャップ付き容器。
【請求項３】
前記キャップの前記栓部は、嵌合状態において、前記孔部よりも下側になる位置に、前記孔部の内壁の径よりも径が大きい大径部を有している
請求項２に記載のキャップ付き容器。
【請求項４】
前記キャップの前記栓部は、前記大径部よりも上側に前記大径部よりも径が小さい小径部を有している
請求項３に記載のキャップ付き容器。
【請求項５】
嵌合状態において、前記キャップの前記栓部の少なくとも一部は、前記孔部の前記内壁の少なくとも一部と、密着している
請求項２に記載のキャップ付き容器。
【請求項６】
前記口部の周囲は、前記孔部に向かってすり鉢状に凹むように傾斜している
請求項２乃至５のいずれか一項に記載のキャップ付き容器。
【請求項７】
前記すり鉢状の傾斜部は、前記孔部を取り囲むように、前記口部の上壁の上面から隆起している突き当て突起である
請求項６に記載のキャップ付き容器。
【請求項８】
前記キャップは、前記口部の外周と接触するように、前記天井壁から下方に垂下し、前記栓部を中心とする垂下筒状壁が設けられている
請求項１乃至７のいずれか一項に記載のキャップ付き容器。
【請求項９】
前記口部の上壁の周端の内周に、円環状の磁石支持帯が設けられており、
前記キャップに、前記口部の磁石支持帯と対向するように、円環状の磁石支持帯が設けられている
請求項１乃至８のいずれか一項に記載のキャップ付き容器。
【請求項１０】
前記口部及び前記キャップのそれぞれの前記磁石は、前記磁石支持帯において、円周状に等間隔で配置された複数の同極部と、複数の同極部の間に設けられた複数の他極部で形成されている
請求項９に記載のキャップ付き容器。
【請求項１１】
前記キャップを前記口部に対して回転させることで、前記口部の磁石と、前記キャップの磁石との間で斥力を作用させる
請求項９に記載のキャップ付き容器。
【請求項１２】
前記容器の前記口部の前記磁石支持帯において、前記上壁の上面に前記磁石は露出している
請求項９乃至１１のいずれか一項に記載のキャップ付き容器。
【請求項１３】
前記容器の前記口部の前記磁石支持帯において、前記上壁の上面において、前記磁石は樹脂でカバーされている
請求項９乃至１１のいずれか一項に記載のキャップ付き容器。
【請求項１４】
前記キャップの前記磁石支持帯の下面に前記磁石は露出している
請求項９乃至１３のいずれか一項に記載のキャップ付き容器。
【請求項１５】
前記キャップの前記磁石支持帯の下面おいて、前記磁石は樹脂でカバーされている
請求項９乃至１３のいずれか一項に記載のキャップ付き容器。
【請求項１６】
前記口部の前記磁石支持帯は、前記口部の前記上壁と上面が略同一平面状であって、前記上壁の下面側が厚く形成されており、
前記キャップの前記磁石支持帯は、前記天井壁と上面が略同一平面状であって、前記天井壁の下面側に厚く形成されている
請求項９乃至１５のいずれか一項に記載のキャップ付き容器。
【請求項１７】
前記キャップの前記天井壁は上面視で四角形、又は楕円形である
請求項１乃至１６のいずれか一項に記載のキャップ付き容器。
【発明の詳細な説明】
【技術分野】
【０００１】
本発明は、磁力を用いたキャップ付き容器に関する。
【背景技術】
【０００２】
容器とキャップとの係合構造として、不用意にキャップが外れることを防いだり、より軽い力で容易にキャップを着脱するため、磁力を用いることが知られている。
【０００３】
例えば、特許文献１には、全覆蓋時におけるキャップと容器本体との当接部位全周に、それぞれ互いに異なる磁極が対向するようにして磁石を配設し、磁石同士が磁着することによってキャップを容器本体に対する覆蓋姿勢に維持する構成が示されている（特許文献１）。
【０００４】
しかし、特許文献１の構成では、キャップの係合の力が磁力による磁着のみであるため、持ち運び、振る、落とす等の外力により、簡単にキャップが外れてしまうことがあった。
【０００５】
そこで、特許文献２には、磁着による構成に加えて、段差を設けることで、キャップを外れにくくする構成が開示されている。
【先行技術文献】
【特許文献】
【０００６】
【特許文献１】実用新案出願公開昭和５８−２４７４７号公報
【特許文献２】特許第５４８０５５３号公報
【発明の概要】
【発明が解決しようとする課題】
【０００７】
しかし、特許文献２の構成では、口紅等の固体又は半固体の内容物の収容することを前提とした容器であり、内容物を密閉していないため、液体を収容することは想定されていない。そのため、仮にこの構成の容器に内容物として液体を収容すると、容器とキャップとで閉鎖状態を維持していても、傾けたり、逆さまにしたりすると、液体が漏れてしまうおそれがある。
【０００８】
そこで、本発明は上記事情に鑑み、簡単にキャップを着脱できるとともに、キャップ装着状態でのキャップと容器との密封を実現できる、キャップ付き容器の提供を目的とする。
【課題を解決するための手段】
【０００９】
上記課題を解決するため、本発明の一態様では、
容器と、該容器の口部の外周に着脱可能に係合するキャップとを備えるキャップ付き容器であって、
前記口部には、上下に貫通する孔部が形成されており、
前記キャップには、前記孔部に密閉嵌合する、天井壁から下方向に延伸する突起状の栓部が形成され、
前記口部及び前記キャップのそれぞれに、前記口部と前記キャップとの間で、磁気的な力を発生させる磁石を設けた、
キャップ付き容器、を提供する。
【発明の効果】
【００１０】
一態様によれば、キャップ付き容器において、簡単にキャップを着脱できるとともに、キャップ装着状態でのキャップと容器との密封を実現できる。
【図面の簡単な説明】
【００１１】
【図１】本発明の第１実施形態のキャップと容器本体とが離れた状態を示す上面斜視図。
【図２】第１実施形態のキャップと容器本体が離れた状態を示す下面斜視図。
【図３】第１実施形態のキャップと容器本体の口部の断面斜視図。
【図４】本発明の実施形態に係るキャップ及び容器本体の口部に設けられる磁石の磁極を示す図。
【図５】第１実施形態のキャップ付き容器においてキャップが閉じた状態の容器全体を示す上面斜視図。
【図６】第１実施形態のキャップ及び容器本体の口部の側面断面図。
【図７】第１実施形態のキャップ及び口部における各状態における嵌合の様子を示す説明図。
【図８】第１実施形態のキャップを、口部に対して回転させた状態を示す上面斜視図。
【図９】図８の状態の、キャップ、容器本体、及び磁石の断面分解図。
【図１０】第１の変形例の栓部を有するキャップ及び容器本体の口部の側面断面図。
【図１１】第２の変形例の栓部を有するキャップ及び容器本体の口部の側面断面図。
【図１２】本発明の第２実施形態のキャップと容器本体が離れた状態を示す上面斜視図。
【図１３】第２実施形態のキャップと容器本体が離れた状態を示す下面斜視図。
【図１４】第２実施形態のキャップと容器本体の口部の断面斜視図。
【図１５】第２実施形態のキャップ付き容器において、キャップが閉じた状態の容器全体を示す上面斜視図。
【図１６】第２実施形態のキャップ及び容器本体の口部の側面断面図。
【図１７】第２実施形態のキャップ及び容器本体の各状態における嵌合の様子を示す説明図。
【図１８】本発明の第２実施形態のキャップを、容器本体の口部に対して回転させた状態のキャップ、容器本体、及び磁石の断面分解図。
【発明を実施するための形態】
【００１２】
以下、図面を参照して本発明を実施するための形態について説明する。下記、各図面において、同一構成部分には同一符号を付し、重複した説明を省略する場合がある。
【００１３】
本発明は、磁力を用いたキャップ付き容器に関する。本発明のキャップ付き容器には、例えば、化粧料（基礎化粧料、ベースメイク用化粧料、ポイントメイク用化粧料）、洗顔料、整髪料、香水等の化粧品や、調味料等の各種液体や粉体が収容される。また、キャップによる密閉が可能であるため、揮発成分を含む物質（液体や粉体）を収容することもできる。
【００１４】
＜第１実施形態＞
まず、図１〜図３を用いて、本発明の第１実施形態のキャップ付き容器５における、容器本体１とキャップ３との係合構造の概略について説明する。
【００１５】
図１は、本発明の第１実施形態のキャップ３と容器本体１が離れた状態を示す上面斜視図である。図２は、第１実施形態のキャップ３と容器本体１が離れた状態を示す下面斜視図である。図３は、第１実施形態のキャップ３と容器本体１の口部の断面斜視図である。
【００１６】
本発明の実施形態に係るキャップ付き容器（蓋付き容器）５は、容器本体１とキャップ（蓋）３とを有する。
【００１７】
容器本体１は、液体や粉体を収容可能な容器である。容器本体１は、肩部１９から上方に突出する口部１１が設けられている。図１〜図３では、容器本体１の上部側である、口部１１及び肩部１９を示しているが、肩部１９の下側には、胴部である収容部１０が延伸している（図５参照）。口部１１は、上面を有する円筒形状であって、上面の上壁１２と側面である周壁１３とを有する。
【００１８】
口部１１の上壁１２の中央部には、上下方向に貫通する孔部１４が形成されている。孔部１４周囲は、孔部１４に向かってすり鉢状（漏斗状）に凹み、上壁１２において環状に上方に隆起している、突き当て突起１５が形成されている。
【００１９】
また、上壁１２の周端の内周側には、リング状の磁石支持帯１６が設けられている。磁石支持帯１６は、上壁１２の他の部分よりも厚さが分厚い。磁石支持帯１６には、下方に開口した複数の磁石挿入穴１７が形成されている。上壁１２の下面には、さらに、環状リブ１８が設けられている。
【００２０】
キャップ３は、容器本体１の口部１１に密閉嵌合可能に着脱する。キャップ３の外側面は、天井壁３１と外側壁３７とで構成されている。キャップ３は、天井壁３１の下面から円環状に下方に垂下する垂下筒状壁３２が設けられている。キャップ３は、二重側壁の構造を有しており、外側が外側壁３７、内側が垂下筒状壁３２である。
【００２１】
キャップ３において、垂下筒状壁３２の中心には、突起状の栓部（ボス、密封突起、シール部ともいう）３３が天井壁３１の下面から下向きに突出するように設けられている。栓部３３は、口部１１の嵌合孔である孔部１４に挿入可能である。栓部３３は、先端部に位置する大径部３３１と、小径部である軸部３３２を有しており、大径部３３１は軸部３３２よりも径が大きいことで、孔部１４に挿入した際の大径部となる。この栓部３３の形状により、栓部３３が孔部１４に挿入した際に、打栓構造となり、キャップ３が容器本体１を密封して嵌合する。
【００２２】
また、図１、図３に示すように、キャップ３の垂下筒状壁３２の内周側には、リング状の磁石支持帯３４が設けられている。磁石支持帯３４は、天井壁３１の他の部分よりも厚さが分厚い。磁石支持帯３４には、天井壁３１の上面に上方に開口する複数の磁石挿入穴３５が形成されている。なお、図３では、口部１１及びキャップ３において磁石を除いた状態を示している。
【００２３】
また、天井壁３１において、栓部３３と、磁石支持帯３４とに挟まれる下面は、突き当て突起１５と突き当たる突き当て面３６となっている。
【００２４】
図４は、本発明のキャップ３及び容器本体１の口部１１に設けられる磁石の磁極を示す図である。
【００２５】
本発明の係合構造では、口部１１及びキャップ３のそれぞれに、口部１１とキャップ３との間で、磁気的な力を発生させる磁石を設けている。
【００２６】
詳しくは、上述のように容器本体１の口部１１の上壁１２の周端の内周に、円環状の磁石支持帯１６が設けられている。そして、キャップ３の垂下筒状壁３２の内周側であって、口部１１の磁石支持帯１６と対向するように、円環状の磁石支持帯３４が設けられている。
【００２７】
口部１１及びキャップ３のそれぞれの磁石は、円環状の磁石支持帯１６，３４において、円周状に等間隔で配置された複数の同極部（２１，４１）と、複数の同極部の間に設けられた複数の他極部（２２，４２）で形成されている。
【００２８】
詳しくは、図４に示すように、口部１１においてＮ極磁石２１とＳ極磁石２２とが交互に配置され、キャップ３においてＮ極磁石４１とＳ極磁石４２が交互に配置されている。そして、口部１１に対してキャップ３を閉鎖した状態では、図４に示すように、異極同士の磁石が磁着する。
【００２９】
また、図４に示す例では、磁石は４５度毎に設けられているため、磁着した状態から４５度回転させると、対向する同極の磁石、即ちＮ極磁石同士２１，４１、Ｓ極磁石同士２２，４２により斥力が働く。
【００３０】
このように、引力を働かせる異極と、斥力を働かせる同極の２種類の磁石を同じ面に配置する必要があるため、最小限、２つの磁石を、口部１１、キャップ３のそれぞれにおいて設ける。
【００３１】
また、密着状態を解除するための回転動作において、引力が働く異極が対向する位置から、斥力が働く同極が対向する位置まで、回転させるため、その際の回転量を少なくするように、より多くの磁石が配置されていると好適である。図４では、口部１１、キャップ３において、４５度毎に、８つの磁石を配置している例を示しているが、磁石の数は、８つに限られない。なお、口部１１とキャップ３のそれぞれにおいて、引力と斥力を交互に働かせるため、異極の磁石が隣り合うように、１つの面における磁石の数は偶数とする。
【００３２】
図５は、第１実施形態のキャップ付き容器５においてキャップ３と容器本体１が閉じた状態を示す上面斜視図である。
【００３３】
図１〜図３で示していた容器本体１は容器本体１の上部側の肩部１９と口部１１であるが、肩部１９の下側には、図５に示すように、液体を収容する、有底角筒状の胴部（ボトル部）である収容部１０が設けられている。本実施形態では、容器本体１の肩部１９の外形と、キャップ３の天井壁３１の外形が略等しいため、キャップが閉じた状態では、キャップ３の側面と、容器本体１の側面とが、同一面状に重なっている。
【００３４】
ここで、図５で示したように、キャップ３と容器本体１の口部１１それぞれにおいて、磁石が４５度毎に離れて円環状に配置されているため、外形により、引力が働いている状態と斥力が働いている状態が区別できると好適である。そのため、キャップ３の天井壁３１は、上面視で正円ではなく、４５度回転したことが判別できる形状、例えば、長方形、正方形、ひし形を含む四角形、又は楕円形であると好適である。なお、四角形において、角に丸みが帯びていてもよい。
【００３５】
図５では、キャップ３において、外側壁３７と連接する、天井壁３１は上面視で略長方形である例を示している。なお、本例では、容器本体１の上面視の外形も略長方形である例を示しているが、容器本体１の肩部１９の外形は、キャップの形状と異なる形状や大きさであってもよい。ただし、キャップ３を閉める際の、口部１１に対するキャップ３の位置を分かりやすくするため、上面視における、肩部１９の中心は、キャップ３の天井壁３１の中心と一致するような形状にすると好適である。
【００３６】
また、図５では収容部１０は略直方体形状の例を示しているが、容器本体１において、口部１１がキャップ３と係合可能な形状であり、収容部１０において底を有していれば、どのような形状でもよい。例えば、収容部１０の底部（下面）が肩部１９（上面）に対して徐々に広がったり、狭まっていてもよいし、あるいは、収容部１０は、側面が捩じれていたり、胴部の中央が膨らんでいたり、窪んでいたり等、様々な形状であってもよい。
【００３７】
次に、図６、図７を用いて、断面と機能について説明する。図６は、第１実施形態のキャップ３及び容器本体１の口部１１の図５の断面Ａの縦面断面図である。
【００３８】
上述のように、容器本体１の口部１１の上壁１２には、孔部１４が形成され、突き当て突起１５、環状リブ１８、及び磁石支持帯１６が設けられている。
【００３９】
また、図６に示す、図５の断面Ａの部分では、垂下筒状壁３２が、最も角状の外側壁３７に近づいている縦断面であるため、この領域では、キャップ３における二重側壁である、垂下筒状壁３２の外側と、外側壁３７の内側とが一体化している。
【００４０】
キャップ３の垂下筒状壁３２の内周側には、栓部３３、磁石支持帯３４、突き当て面３６が設けられている。
【００４１】
図６に示すように、キャップ３の栓部３３の先端は、他の部分である軸部３３２よりも径が大きい大径部３３１になっている。口部１１の孔部１４の内壁１４Ｉの径は、栓部３３の軸部３３２よりも広く、大径部３３１よりも狭く構成されている。
【００４２】
なお、図６では、大径部３３１が、栓部３３の先端（下端）に設けられた例を示しているが、大径部３３１は、栓部３３の上端から孔部１４の厚みまでの部分以外の中間部に設けられてもよい。例えば、図６の図において、大径部３３１の下にさらに軸部３３２が延伸していてもよい。あるいは、栓部３３の上下方向において、すべての部分が、孔部１４の内壁１４Ｉよりも径の大きい大径部３３１であってもよい。
【００４３】
また、孔部１４の内壁１４Ｉは弾性変形する素材で構成されている。そのため、挿入する際や、引き抜く際は、内壁１４Ｉが弾性変形することで、栓部３３の先端である大径部３３１が孔部１４を押し分けて通る。
【００４４】
なお、図６では、口部１１の内壁１４Ｉが、弾性変形する例を示しているが、内壁１４Ｉに代えて、栓部３３の大径部３３１の外形が弾性変形する構成であってもよい。あるいは、内壁１４Ｉ及び大径部３３１の両方が、弾性変形する構成であってもよい。
【００４５】
そのため、大径部３３１の外周は、弾性変形していない状態の孔部１４の内壁１４Ｉよりも径が大きいので、嵌合状態では大径部３３１が孔部１４を押し分ける力が掛からない限りキャップ３と口部１１とは密閉状態は解除されないため、傾けたり、逆さまにしたり、振ったりしても、内容物は漏れない。また、口部１１の周壁１３の外周を取り囲むように、垂下筒状壁３２が係合するため、横方向にずれにくい。
【００４６】
また、口部１１の磁石支持帯１６は、上壁１２の上面と上面が略同一平面状であって、上壁の下面側が厚く形成されている。
【００４７】
本実施形態において、口部１１の磁石２１，２２は、磁石支持帯１６の下面に下方に開口した複数の磁石挿入穴１７に、下から挿入される。そのため、図６に示すように、容器本体１の口部１１の磁石支持帯１６において、上壁１２の上面において、磁石２２（２１）の上には樹脂の膜が形成されているため、即ち、磁石支持帯１６の磁石挿入穴１７は上下に連通せずに樹脂が上部に残っているため、磁石２２（２１）の上面は、樹脂でカバーされている。
【００４８】
また、キャップ３の磁石支持帯３４は、天井壁３１の上面と、上面が略同一平面状であって、天井壁３１の下面側に厚く形成されている。
【００４９】
また、本実施形態において、キャップ３の磁石４１，４２は上方に開口した、複数の磁石挿入穴３５に、上から挿入されている。そのため、磁石４１（４２）の下には樹脂の膜が形成されており、即ち、磁石支持帯３４の磁石挿入穴３５は上下に連通せずに樹脂が下部に残っているため、キャップ３の磁石支持帯３４の下面において、磁石４１（４２）の下面は樹脂でカバーされている。
【００５０】
このように、本実施形態では、口部１１及びキャップ３ともに、キャップ３を開放した状態で使用者に見える部分が、磁石（２２（２１）、４１（４２））が樹脂によってカバーされているため、使用時の口部１１及びキャップ３裏面の美観を保つことができる。
【００５１】
なお、図６では、容器本体１側の磁石支持帯１６の磁石挿入穴１７の下方が開口し、キャップ３側の磁石支持帯３４の磁石挿入穴３５の上方が開口しているが、磁石を挿入した後、樹脂やシール等で磁石挿入穴１７，３５を封止すると、より好適である。
【００５２】
詳しくは、容器本体１の口部１１の磁石支持帯１６では、下面が開口しているため、挿入される磁石２１，２２と、収容物の液体とが接触する可能性がある。そのため、磁石２１，２２が、内容物の液体により劣化したり、反対に液体内に、磁石の成分である、例えば、アルニコ、フェライト、ネオジム、サマリウムコバルト等が、流れ出てしまうおそれがあるため、液体の品質維持、及び安全面の観点から、磁石２１，２２を下面からカバーすると、より好適である。
【００５３】
一方、キャップ３の磁石支持帯３４において、上面が開口した磁石挿入穴３５を磁石４１，４２挿入後に、樹脂で封止することで、キャップ３の表面及び裏面において磁石を使用者に隠すことで美観を高める観点から、磁石４１，４２を上面から樹脂やシール等でカバーすると、より好適である。
【００５４】
また、環状リブ１８は、口部１１の上壁１２の下面であって、孔部１４の外側であって、磁石支持帯１６の内周側に、下方に起立している。この環状リブ１８は、磁石支持帯１６よりも下側に突出している。
【００５５】
そのため、例えば、キャップ付き容器５を振ったり、落としたり、倒したり等で内部に収容された液体から、肩部１９の下面や、上壁１２の下面に強い力が掛かりそうな場合は、口部１１の周壁１３の内周側では、まず環状リブ１８に力が掛かる。そのため、孔部１４や、磁石支持帯１６にかかる、液体からの力は緩和されるため、例えば、上方向に強い力が掛かった際にも、キャップ３を回転させない限り、磁気力として、対向する異極の磁石間に引力が作用しているので、栓部３３と孔部１４との嵌合状態は解除されず、栓部３３は抜けない。また、磁石支持帯１６への力も弱まるため、磁石も壊れない。なお、環状リブ１８は、力が掛かることを考慮して、弾性部材で構成されると好適である。
【００５６】
図６に示す例では、キャップ３の磁石２１以外の部分、容器本体１の磁石支持帯１６の磁石４２以外の部分、口部１１の周壁１３、肩部１９及び収容部１０を、樹脂で構成される例を示しているが、他の素材で構成してもよい。例えばこれらの部分を、強化ガラス等で構成してもよい。
【００５７】
図７は、本発明の第１実施形態のキャップ３及び口部１１における栓部３３の嵌合の様子を示す説明図である。図７において、（ａ）はキャップ３と容器本体１とが接触前、（ｂ）はキャップ３の垂下筒状壁３２が、口部１１の周壁１３と接触を開始した状態、（ｃ）はキャップ３の栓部３３の大径部３３１が孔部１４の内壁１４Ｉを押し広げて進入している状態、（ｄ）はキャップ３と口部１１とが密閉嵌合している状態を示す。
【００５８】
キャップ３を容器本体１に係合する際、まず、キャップ３の天井壁３１の外形と容器本体１の肩部１９の外形とが、重なるように近づけていく（図７（ａ）⇒図７（ｂ））。この際、本構成では、上面視で、キャップ３の天井壁３１が長方形であって、容器本体１の肩部１９も長方形であって略等しい大きさであり、且つ、天井壁３１と肩部１９の中心が上面視で略等しいため、キャップ３の裏面を確認しなくても、口部１１に対するキャップ３の位置を、ほぼ正しくセットすることができる。
【００５９】
そして、この図７（ａ）〜図７（ｄ）の装着動作の際、図７（ａ）でのキャップ３と肩部１９との外形を用いた、キャップ３の向きを容器本体１に対して正しくセットした後は、キャップ３を、容器本体１に対して回転させる必要はない。
【００６０】
そして、最初の接触として、キャップ３の垂下筒状壁３２が、口部１１の周壁１３と接触を開始する（図７（ｂ））。垂下筒状壁３２の内周面３２Ｉと、周壁１３の外周面１３Ｏとが接触を開始することで、キャップ３を近づける際の軌道が、大体定められる。
【００６１】
この状態で、キャップ３の磁石４１が、固定された容器本体１の口部１１の磁石２２に引き寄せられるように磁力が働くことで、キャップ３の口部１１への接近移動が促される。さらにキャップ３が容器本体１に近づくと、キャップ３の栓部３３が、口部１１の孔部１４へと進入する（図７（ｂ）⇒図７（ｃ））。なお、この際、突き当て突起１５は、孔部１４に向かってすり鉢状（漏斗状）に凹み、口部１１Ａの上壁１２の上面から隆起して漏斗状に形成されているため、例えばキャップ３が傾いている場合であっても、突き当て突起１５の上側の傾斜部に沿って、栓部３３がスライドすることで、栓部３３は、孔部１４に導かれる。
【００６２】
なお、本例では、孔部１４の周囲は、突き当て突起１５として口部１１の上壁１２の上面に対して隆起する例を説明したが、例えば、口部１１の上壁１２が分厚い場合、上壁１２の厚さの内部で、上面から下部に細くなる漏斗状の凹部を形成して、その凹部の下に孔部が貫通している形状であって、隆起を有しない形状であってもよい。この形状においても、漏斗状の凹部（上孔部）の傾斜により、下孔部である孔部１４に栓部３３を導くことができる。
【００６３】
また、図７（ｃ）の状態では、栓部３３は、先端部であって径が大きい大径部３３１が、孔部１４の内壁を押し分けて進んでいるため、孔部１４の側面の内壁１４Ｉは外周側に潰れるように弾性変形している。
【００６４】
その後、キャップ３が、口部１１に対してさらに接近することで、密封嵌合状態となる（図７（ｃ）⇒図７（ｄ））。キャップ３を係合する際、図７（ｃ）の状態の栓部３３の先端の大径部３３１が、口部１１の孔部１４の狭い内壁１４Ｉを乗り越えて挿入された後、栓部３３の軸部３３２が内壁１４Ｉと密着することで、図７（ｄ）の状態では、気密が達成される。図７（ｄ）では、図４に示したように、キャップ３と口部１１において、異極の磁石同士が磁着している。
【００６５】
なお、図７（ｂ）の位置にキャップ３と容器本体１とを近づけると、磁石の引力が作用するので、この磁力の働きにより図７（ｂ）⇒図７（ｃ）⇒図７（ｄ）の閉鎖動作が補助される。これにより、図７（ｂ）⇒図７（ｃ）⇒図７（ｄ）の状態の移行では、使用者の、密封状態にするための力は大幅に軽減されて、キャップ３の装着を終了できる。
【００６６】
反対に、キャップ３を脱着する際には、キャップ３と口部１１とを密着させる方向にかかる引力の作用を解除し、キャップ３と口部１１とを離間させる方向にかかる斥力を働かせるために、容器本体１に対してキャップ３を回転させる。
【００６７】
図８は、本発明の第１実施形態のキャップ３を、口部１１に対して回転させた状態を示す上面斜視図である。図９は、図８の状態の断面分解図である。
【００６８】
図８、図９のように、キャップ３を閉じた状態から４５度回転させることで、キャップ３の磁石４１，４２と、口部１１の磁石２１，２２の、同極同士が対向する。
【００６９】
これにより、口部１１の磁石と、キャップ３の磁石との間で斥力を作用させ、斥力により、栓部３３の軸部３３２と孔部１４の内壁１４Ｉによる気密状態を解除し、大径部３３１が孔部１４を乗り越えて上昇するための力を大幅に軽減できる。
【００７０】
＜栓部の変形例＞
上記例では、栓部３３は、大径部３３１と軸部３３２を備えている構成を示しているが、栓部３３は、異なる形状であってもよい。
【００７１】
図１０に、第１の変形例の栓部３３αを有するキャップ３α及び容器本体１の口部１１の側面断面図を示す。図１０に示すように、本変形例のキャップ付き容器５αでは、栓部３３αは、円柱３３３で構成されている。
【００７２】
本変形例においても、栓部３３α、又は孔部１４の内壁１４Ｉの、少なくともどちらか一方は弾性変形する素材で構成される。そのため、嵌合する際、一律の太さの円柱３３３は内壁１４Ｉに密着した状態で進入し、密着状態で停止するため、嵌合状態における気密が達成される。
【００７３】
なお、図１０では、一律の太さの円柱３３３によって、栓部３３αを構成する例を示したが、円柱状の栓部に、例えば、嵌合状態において、孔部１４の内壁１４Ｉと接触する部分に、少し径が太い部分（フランジ部、リング部）を１又は複数設けてもよい。フランジ部を設けることで、円柱部の他の外周部が孔部１４の内壁１４Ｉと密着せず、フランジ部のみで密着する。これにより、栓部の孔部１４内への打栓の際、フランジ部の部分で、内壁１４Ｉとの接触の手ごたえが変化して嵌合状態がわかりやすくなる。
【００７４】
図１１に、第２の変形例の栓部３３βを有するキャップ３β及び容器本体１の口部の側面断面図を示す。図１１に示すように、本変形例のキャップ付き容器５βでは、栓部３３βは、下向き円錐３３４で構成されている。
【００７５】
下向き円錐３３４である栓部３３βは、下端から上に行くほど徐々に径が太くなっている。そのため、嵌合動作において、径が細い下部分では孔部１４の内壁１４Ｉとほとんど接触せずに孔部１４の内部に進入し、栓部３３βの進入が適切な嵌合高さまで到達すると、下向き円錐３３４の径が太くなった部分と、孔部１４の内壁１４Ｉとが接触して、嵌合状態になる。
【００７６】
なお、本変形例では、栓部３３βにおける、嵌合状態において孔部１４の内壁１４１Ｉと接触する部分（少なくとも一部）と、孔部の内壁１４Ｉの少なくともどちらか一方は、弾性変形する素材で構成される。そのため、嵌合する際、下向き円錐３３４と内壁１４１とは、密着状態になることで進入を停止するため、嵌合状態における気密が達成される。
【００７７】
なお、図１１では、下向き円錐形状の例を示しているが、先頭部（下端部）が、平面状の下向き円錐台形状、または下端部が丸みを帯びた下向き円錐形状であってもよい。
【００７８】
＜第２実施形態＞
次に、図１２〜図１８を用いて、第２実施形態のキャップ付き容器５Ａの構成について説明する。
【００７９】
図１２は、本発明の第２実施形態のキャップ３Ａと容器本体１Ａが離れた状態を示す上面斜視図である。図１３は、第２実施形態のキャップ３Ａと容器本体１Ａが離れた状態を示す下面斜視図である。図１４は、第２実施形態のキャップ３Ａと容器本体１の口部１１Ａの断面斜視図である。
【００８０】
本実施形態では、磁石支持帯での磁石の配置位置が、第１実施形態とは異なる。第１実施形態では、口部１１の磁石支持帯１６には、下方に開口した複数の磁石挿入穴１７が形成されており、キャップ３の磁石支持帯３４には上方に開口した複数の磁石挿入穴３５が形成されていた。
【００８１】
これに対して、本実施形態では、容器本体１側の口部１１Ａの磁石支持帯１６Ａには、上方に開口した複数の磁石挿入穴１７Ａが形成されており、キャップ３Ａの磁石支持帯３４Ａには下方に開口した複数の磁石挿入穴３５Ａが形成されている。
【００８２】
そのため、図１２に示すように、容器本体１Ａの口部１１Ａの磁石支持帯１６Ａにおいて、上壁１２Ａの上面において、磁石挿入穴１７Ａの開口部から磁石２３，２４の上面は露出している。そして、図１３に示すように、キャップ３Ａの磁石支持帯３４Ａにおいて、磁石挿入穴３５Ａの開口部から下面（裏面）に磁石４３，４４の下面は露出している。
【００８３】
図１５は、第２実施形態のキャップ付き容器５Ａにおいてキャップ３Ａが閉じた状態を示す容器全体の上面斜視図である。図１６は、第２実施形態のキャップ３Ａ及び容器本体１Ａの口部１１Ａの側面断面図である。
【００８４】
本実施形態では、図１３、図１４で示したように、容器本体１Ａの口部１１Ａの上壁１２Ａの上面、及びキャップ３Ａの磁石支持帯３４Ａの下面に、磁石２３，２４、４３，４４は露出しているため、図１６に示すように、磁石（２４，４３），（２３，４４）同士が直接接触する。そのため、第１実施形態よりも磁力の力を大きく働かせることができる。そのため、図６の構成で設けられる磁石２１，２２，４１，４２と比較して、磁石（２３，２４，４３，４４）自体の大きさを小さくすることができる。
【００８５】
なお、本実施形態では、口部１１Ａにおいて磁石２３，２４が上壁１２Ａの上面側が露出し、磁石支持帯１６Ａの下面は樹脂でカバーされているため、液体の品質維持や安全面を考慮した、磁石２３，２４の開口部の封止のための下面からのカバーは不要になる。
【００８６】
また、本実施形態では、キャップ３Ａにおいて磁石４３，４４が磁石支持帯３４Ａの下面側に露出し、天井壁３１Ａの上面は樹脂でカバーされているため、図１３のようにキャップ３Ａを閉じている際は、キャップ３Ａの外観からの磁石は見えない。そのため、キャップを閉じている際の美観を向上するための、磁石４３，４４の開口部の封止のための上面からのカバーは不要になる。
【００８７】
なお、本実施形態においても、キャップ３Ａに設けられる栓部３３の形状を、図１０、図１１に示す変形例のような、形状としてもよい。
【００８８】
図１７は、第２実施形態のキャップ３Ａ及び容器本体１Ａの各状態における嵌合の様子を示す説明図である。図１７において、（ａ）はキャップ３Ａと口部１１Ａとが接触前、（ｂ）はキャップ３Ａの垂下筒状壁３２が口部１１の周壁１３と接触を開始した状態、（ｃ）はキャップ３Ａの栓部３３の大径部３３１が口部１１Ａの孔部１４の内壁１４Ｉを押し広げて進入している状態、（ｄ）は、キャップ３Ａと口部１１Ａとが密閉嵌合している状態を示す。
【００８９】
キャップ３Ａを容器本体１Ａに係合する際、まず、キャップ３Ａの天井壁３１Ａの外形と容器本体１Ａの肩部１９の外形とを合致させるように近づけていく（図１７（ａ）⇒図１７（ｂ））。これにより、キャップ３Ａの垂下筒状壁３２の内周面３２Ｉが、口部１１Ａの周壁１３の外周面１３Ｏと接触を開始する（図１７（ｂ））。この際、キャップ３Ａの磁石４３が、固定された容器本体１Ａの口部１１Ａの磁石２４に引き寄せられるように磁力が働くことで、キャップ３Ａの口部１１Ａへの接近移動が促される。
【００９０】
さらにキャップ３Ａが容器本体１Ａに近づくと、キャップ３Ａの栓部３３が、口部１１Ａの孔部１４へと進入する。栓部３３は、漏斗状の突き当て突起１５によって孔部１４に導かれる。また、図１７（ｃ）の状態では、栓部３３の大径部３３１によって、孔部１４の内壁１４Ｉは外周側に潰れるように弾性変形している。
【００９１】
その後、キャップ３Ａは、口部１１Ａに対してさらに接近することで、密封嵌合状態となる（図１７（ｃ）⇒図１７（ｄ））。キャップ３Ａを係合する際、図１７（ｃ）の状態の栓部３３の先端の大径部３３１が、口部１１Ａの孔部１４の狭い内壁１４Ｉを乗り越えて挿入されることで、図１７（ｄ）の状態では、打栓により栓部３３の軸部３３２が内壁１４Ｉと密着することで、気密が達成される。
【００９２】
なお、本実施形態においても、図１７（ｂ）の位置に磁石を近づけると、磁力の働きにより、図１７（ｂ）⇒図１７（ｃ）⇒図１７（ｄ）の閉鎖動作が補助される。そのため、図１７（ｂ）⇒図１７（ｃ））⇒図１７（ｄ）は、使用者の、密封状態にするための力は大幅に軽減されて、キャップ３Ａを回転させることなく、キャップ３Ａの容器本体１Ａへの装着を終了できる。
【００９３】
逆に、キャップ３Ａを脱着する際に、磁石による、引力の作用を解除し、斥力を働かせるために、キャップ３Ａを回転させる。
【００９４】
図１６は、本発明の第２実施形態のキャップ３Ａを、口部１１Ａに対して回転させた状態の断面分解図である。
【００９５】
図１６のように、キャップ３Ａを閉じた状態から４５度回転させることで、キャップ３Ａの磁石４３，４４と、口部１１Ａの磁石２３，２４の、同極同士が対向する。
【００９６】
これにより、口部１１Ａの磁石２３，２３と、キャップ３Ａの磁石４３，４４との間で斥力を作用させて、栓部３３の軸部３３２と孔部１４の内壁１４Ｉによる気密状態を解除し、大径部３３１が孔部１４を乗り越えて上昇するための力を大幅に軽減できる。
【００９７】
なお、上述において、第１実施形態では、キャップを空けた際に、口部及びキャップの両方において、対向する磁石が樹脂によってカバーされている構成であり、第２実施形態では、キャップを空けた際に、口部及びキャップの両方において、対向する磁石が露出している構成を示しているが、磁石のカバーと露出の構成について異なるペアを係合させてもよい。
【００９８】
例えば、キャップを空けた際に、口部１１の磁石２１，２２の上面は樹脂によってカバーされている容器本体１と、磁石４３，４４の下面が露出しているキャップ３Ａとを係合させる構成であってもよい。あるいは、キャップを空けた際に、口部１１Ａの磁石２３，２４の上面が露出している容器本体１Ａと、磁石４１，４２の下面が樹脂によってカバーされているキャップ３とを係合させる構成であってもよい。
【００９９】
以上、本発明の好ましい実施形態について詳述したが、本発明は係る特定の実施形態に限定されるものではなく、特許請求の範囲に記載された本発明の実施形態の要旨の範囲内において、種々の変形、変更が可能である。
【符号の説明】
【０１００】
１，１Ａ  容器本体
３，３Ａ，３α，３β  キャップ
５，５Ａ，５α，５β  キャップ付き容器
１０  収容部
１１，１１Ａ  口部
１２，１２Ａ  上壁
１３  周壁
１４  孔部
１５  突き当て突起
１６，１６Ａ  磁石支持帯
１７，１７Ａ  磁石挿入穴
１８  環状リブ
１９  肩部
２１，２３  磁石（Ｎ極）
２２，２４  磁石（Ｓ極）
３１，３１Ａ  天井壁
３２  垂下筒状壁
３３，３３α，３３β  栓部
３３１  大径部
３３２  軸部（小径部）
３３３  円柱
３３４  下向き円錐
３４，３４Ａ  磁石支持帯
３５，３５Ａ  磁石挿入穴
３６  突き当て面
３７  外側壁
４１，４３  磁石（Ｎ極）
４２，４４  磁石（Ｓ極）
５，５Ａ  キャップ付き容器
【図１】
2020037424.tif 000003
【図２】
2020037424.tif 000004
【図３】
2020037424.tif 000005
【図４】
2020037424.tif 000006
【図５】
2020037424.tif 000007
【図６】
2020037424.tif 000008
【図７】
2020037424.tif 000009
【図８】
2020037424.tif 000010
【図９】
2020037424.tif 000011
【図１０】
2020037424.tif 000012
【図１１】
2020037424.tif 000013
【図１２】
2020037424.tif 000014
【図１３】
2020037424.tif 000015
【図１４】
2020037424.tif 000016
【図１５】
2020037424.tif 000017
【図１６】
2020037424.tif 000018
【図１７】
2020037424.tif 000019
【図１８】
2020037424.tif 000020